(57)【特許請求の範囲】
【請求項１】
有底筒状のます本体と、それぞれ互いに機能が異なる複数の補助器具と、を備え、該ます本体の側壁には、流出配管または流入配管が接続される配管口が複数設けられており、該ます本体の内側に開口した各配管口の開口部には、それぞれ互いに機能が異なる複数の補助器具のうち少なくともいずれかが脱着自在に取り付けられる排水ますであって、
前記ます本体の内側に開口した各配管口の開口部は、ます本体に貫通状に装着された継手用管材によって構成され、該継手用管材のいずれにも、同じ位置に互いに同構造の装着部が設けられ、
一方、各補助器具には、互いに同構造の被着部がそれぞれ設けられており、
前記装着部と前記被着部とが脱着自在に接続されることで、前記ます本体の内側に開口した各配管口の開口部に前記補助器具が脱着自在に取り付けられる
ことを特徴とする排水ます。
【請求項２】
脱着自在に取り付けられた補助器具が２以上であって、各補助器具の機能が互いに異なっている請求項１に記載の排水ます。
【請求項３】
前記配管口には、少なくとも一つの流入配管が接続され、かつ複数の流出配管が接続され、
さらに、該流出配管が接続された配管口のうち、流出主配管が接続される配管口を基準流出配管口とし、
かつ、該流出主配管とは異なる流出副配管、及び前記流入配管がそれぞれ接続可能な配管口を流出入兼用配管口とし、
該複数の流出入兼用配管口の下端が、互いに同じ高さに設定されていると共に、前記ます本体において前記基準流出配管口の下端より高い位置にそれぞれ設定されていることで、該流出入兼用配管口に接続された位置における流出副配管、及び流入配管の各管底が、互いに同じ高さに配置され、かつ、該基準流出配管口に接続された位置における流出主配管の管底より高い位置にそれぞれ配置される請求項１又は請求項２に記載の排水ます。
【発明の詳細な説明】
【技術分野】
【０００１】
本発明は、ます本体の内側に補助器具が脱着自在に取り付けられる排水ますに関するものである。
【背景技術】
【０００２】
従来、流出配管が接続される配管口が設けられた排水ますにおいて、排水ますの内側に開口した該配管口の開口端には、適宜、オリフィス、フィルタ、あるいは逆流防止弁等の補助器具があらかじめ取り付けられていることはよく知られている。例えば、排水先が雨水槽である配管口にはフィルタが取り付けられており、排水先が側溝である配管口にはオリフィスや逆流防止弁付きエルボが取り付けられている（例えば、特許文献１，２参照。）。
【先行技術文献】
【特許文献】
【０００３】
【特許文献１】特開平１０−１８４０５号公報
【特許文献２】特開平１０−２９９０６８号公報
【発明の概要】
【発明が解決しようとする課題】
【０００４】
しかしながら、上記した従来の排水ますは、配管設計する段階から、施工現場における各排水先の配置を考慮しつつ、それに適合するようにあらかじめ補助器具が装着された排水ますを在庫のなかから選定し、それを現場に持ち込む必要があった。そうすると、様々な排水先の配置環境に対応すべく、補助器具の取付位置が互いに異なる排水ますをあらかじめ多数用意して在庫管理しておく必要があった。また、場合によっては、別々の補助器具が取り付けられた排水ます同士を並べて連結して使用することもあった。このことは、在庫管理が煩雑となり、無駄が多く、設置スペースも広がってしまい、全体としてコスト高となる問題が生ずる。また、現場で急に配管設計が変更となった場合、その現場に持ち込んだ排水ますの補助器具の配置が適合せず、他の排水ますを別途持ち込み直さなければならないおそれもあった。
【０００５】
そこで、本発明は、配管設計の自由度が向上し、一つの排水ます形状で複数の配管パターンに対応可能とすることにより現場での急な変更に対応でき、また在庫管理を簡便なものとすることができる排水ますを提供することを目的とする。
【課題を解決するための手段】
【０００６】
本発明は、有底筒状のます本体と、それぞれ互いに機能が異なる複数の補助器具と、を備え、該ます本体の側壁には、流出配管または流入配管が接続される配管口が複数設けられており、該ます本体の内側に開口した各配管口の開口部には、それぞれ互いに機能が異なる複数の補助器具のうち少なくともいずれかが脱着自在に取り付けられる排水ますであって、前記ます本体の内側に開口した各配管口の開口部は、ます本体に貫通状に装着された継手用管材によって構成され、該継手用管材のいずれにも、同じ位置に互いに同構造の装着部が設けられ、一方、各補助器具には、互いに同構造の被着部がそれぞれ設けられており、前記装着部と前記被着部とが脱着自在に接続されることで、前記ます本体の内側に開口した各配管口の開口部に前記補助器具が脱着自在に取り付けられることを特徴とする排水ますである。
【０００７】
上記構成は、互いに機能が異なる複数の補助器具と配管口の開口部との取付構造が各配管口において共通であることを大きな特徴としている。かかる構成とすることにより、配管設計段階で多種の排水ますから所望構造の排水ますを選定する作業を経ることなく、前記した排水ますのます本体と補助器具とを施工現場に持ち込むだけでよくなる。すなわち、その施工現場の状況に応じて排水先と配管口とを繋ぎ、次いで適切な補助器具を各配管口の開口部に現場で取り付けて施工を完了させることができる。また、現場で急な配管変更が生じた場合も、補助器具を適切な配管口に取り付け直すこともできる。ただし、必ずしも現場で補助器具を取り付ける必要はなく、適宜、事前に補助器具が適正位置に取り付けられた排水ますを準備しておくことも勿論できる。いずれにしろ、施工現場における各排水先の配置を考慮しつつ、それに適合するようにあらかじめ補助器具が装着された多種の排水ますを在庫管理しておく必要がない。
【０００８】
また、脱着自在に取り付けられた補助器具が２以上であって、各補助器具の機能が互いに異なっている構成が望ましい。
【０００９】
かかる構成とすることにより、単一の排水ますに対して複数の前記機能を兼備させることが可能となるため、例えば従来のように単一機能しか備えない排水ます同士を連結して使用する必要がなくなる。そして、これにより小さな設置スペースで施工を行うことが可能となる。
【００１０】
また、前記配管口には、少なくとも一つの流入配管が接続され、かつ複数の流出配管が接続され、さらに、該流出配管が接続された配管口のうち、流出主配管が接続される配管口を基準流出配管口とし、かつ、該流出主配管とは異なる流出副配管、及び前記流入配管がそれぞれ接続可能な配管口を流出入兼用配管口とし、該複数の流出入兼用配管口の下端が、互いに同じ高さに設定されていると共に、前記ます本体において前記基準流出配管口の下端より高い位置にそれぞれ設定されていることで、該流出入兼用配管口に接続された位置における流出副配管、及び流入配管の各管底が、互いに同じ高さに配置され、かつ、該基準流出配管口に接続された位置における流出主配管の管底より高い位置にそれぞれ配置される構成としてもよい。
【００１１】
かかる構成にあって、前記排水ますに接続される流出配管のうち、最優先に排水されるべき排水先に繋がる流出主配管は、前記基準流出配管口に接続される。また、該排水ますに接続される流入配管は、配管に際して最も都合の良い位置の流出入兼用配管口が選択され、その流出入兼用配管口に接続される。さらに、前記流出主配管とは異なる流出副配管は、適宜、好適な位置の流出入兼用配管口が選択され、その流出入兼用配管口に接続される。ここで、流出主配管は最も低位に配されているため、前記流入配管によって排水ます内に案内された雨水は、まず前記基準流出配管口から外部へ排水されることとなる。また、流出入兼用配管口同士は互いに同じ高さに揃えられており、流入用であるか流出用であるかに関わらず配管が接続可能となっているため、施工現場に応じて適宜配管設計されて、該排水ますに接続され得る。このように、本発明の排水ますは、最優先されるべき流出主配管への排水経路を確保しつつ、流出副配管及び流入配管に対する配管設計の自由度を高めることができる利点がある。さらに、上記したように、互いに機能が異なる複数の補助器具と配管口の開口部との取付構造が共通であるため、前記流出入兼用配管口のように流入用であるか流出用であるかが規定されていない配管口を備える構成においては、複数の配管パターンに柔軟に対応できる点で特に有用である。なお、本発明にあって、流出主配管及び流出副配管は、流出配管に含まれるものであり、該流出主配管及び／又は該流出副配管を説明する際には、適宜、流出配管あるいは配管ということがある。
【発明の効果】
【００１２】
本発明の排水ますは、補助器具の取付位置や種類が互いに異なる排水ますをあらかじめ多数用意して在庫管理しておく必要がなく、配管設計の自由度が向上し、一つの排水ます形状で複数の配管パターンに対応可能なため、現場での急な変更に迅速に対応できる効果がある。また、互いに同一の装着部が設けられたます本体を備えるため、パイプや排水ますの種類や形状によって補助器具の取り付けができないといった不具合が生じない。また、ます本体の内部に装着部が設けられているため、ます本体の管内に補助器具を抜き差しして脱着を行う構成に比して脱着作業が極めて簡便である。
【図面の簡単な説明】
【００１３】
【図１】(ａ）は排水ますの平面図、（ｂ）は(ａ）のＡ−Ａ線断面図。
【図２】（ａ）は継手用管材を示す外観斜視図、（ｂ）はフィルタの取付側の先端部を示す側断面図。
【図３】フィルタの取付手順を示す説明図。
【図４】（ａ）は排水ますの使用状態を示す平面図、（ｂ）はその側断面図。
【図５】他の形態の排水ますを示す側断面図。
【図６】他の形態の排水ますを示す側断面図。
【図７】他の形態のフィルタの取付構造を示す横断面図。
【発明を実施するための形態】
【００１４】
以下、本発明を具体化した排水ますを詳細に説明する。なお、本発明は、下記に示す実施例に限定されることはなく、適宜設計変更が可能である。
【００１５】
図１ａ，ｂに示すように、排水ます１Ａは、軸方向がほぼ鉛直な有底円筒状のます本体２を備えている。該ます本体２は、製造、又は加工が容易な樹脂製のものが好ましく、例えば硬質塩化ビニル樹脂製のものが強度も高く、特に好ましい。なお、ます本体２は、前記形状に限定されず、他の形状であってもよい。
【００１６】
さらに、前記ます本体２の側壁には、１つの基準流出配管口５と、３つの流出入兼用配管口６〜８とが設けられている。具体的には、図１ａに示すように、各配管口５〜８は、平面視十字状となるように、４方向にバランス良く配置されている。また、図１ｂに示すように、該複数の流出入兼用配管口６〜８の下端は、これら流出入兼用配管口６〜８同士で互いに同じ高さとなるように設定され、かつ、該ます本体２において前記基準流出配管口５の下端より高い位置となるように設定されている。
【００１７】
なお、本実施例においては、図１ａに示すように、前記基準流出配管口５を基準にして、時計回りに第１流出入兼用配管口６、第２流出入兼用配管口７、及び第３流出入兼用配管口８が配置されている。
【００１８】
次に、各配管口５〜８の構造について詳述する。
各配管口５〜８の開口部は、図２ａに示すような、継手用管材１０によりそれぞれ構成されている。該継手用管材１０は、図１ｂに示すように、ます本体２に貫通状に装着され、その装着状態において該ます本体２の外側に配置される円筒状の受口部２０と、該ます本体２の内側に配置される円筒状の差口部２２とを有している。また、各配管口５〜８において、少なくとも該差口部２２が、互いに同形状かつ同寸法となるように設定されている。
【００１９】
そして、前記配管口５〜８の該受口部２０には、後述する流出配管６１，６２又は流入配管６３等が取り付けられる。これに対し、該配管口５〜８の差口部２２には、設置状況に応じて、後述する補助器具としてのオリフィス４１、フィルタ４２、あるいは逆流防止弁部材４３のいずれかが取り付けられる。
【００２０】
なお、前記オリフィス４１は、水量調節の機能を有する公知のものが好適に使用可能である。また、前記フィルタ４２は、ゴミ等の流出を防止する機能を有する公知のものが好適に使用可能である。該フィルタ４２は、いわゆるスクリーンであってもよい。さらに、前記逆流防止弁部材４３は、水流の逆流を防止する機能を有する公知のものが好適に使用可能である。このように、補助器具としてのオリフィス４１、フィルタ４２、及び逆流防止弁部材４３は、互いに機能が異なっており、使用目的に応じて適宜選択されて使用される。
【００２１】
次に、補助器具を配管口５〜８に取り付けるための構造について詳述する。なお、補助器具としてフィルタ４２を例に挙げて以下説明する。
【００２２】
図２ａに示すように、前記継手用管材１０の差口部２２の外周面には、装着部３０が設けられている。該装着部３０は、一端が開放された平面視Ｌ字状の凹溝３１によって構成され、該凹溝３１は該継手用管材１０の軸方向に沿った第一溝部３１Ａと、周方向に沿った第二溝部３１Ｂとを備えている。該凹溝３１は、差口部２２の上端だけでなく、図２ａでは隠れて見えないが、該差口部２２外周面の下端にも設けられている。
【００２３】
また、前記装着部３０は、いずれの配管口５〜８においても設けられており、それぞれ共通して同じ構造とされている。すなわち、互いに同じ寸法形状の凹溝３１が各差口部２２の外周面の同じ位置にそれぞれ配置されている。
【００２４】
一方、図２ｂに示すように、前記フィルタ４２の取付側の筒状先端部４６の内周面には、被着部５０が設けられている。該被着部５０は、上下一対に配置された角型の凸部５１，５１によって構成されている。該凸部５１は、前記装着部３０の凹溝３１内を通過可能な寸法に設定されている。
【００２５】
また、前記被着部５０は、フィルタ４２だけでなく、他の補助器具であるオリフィス４１及び逆流防止弁部材４３においても設けられており、それぞれ共通して同じ構造とされている。すなわち、筒状先端部４６は互いに同じ寸法形状に設定され、かつ、互いに同じ寸法形状の凸部５１が各補助器具の筒状先端部４６の内周面の同じ位置に配置されている。
【００２６】
次に、図３に従って、前記配管口６の装着部３０に、フィルタ４２の被着部５０を取り付ける手順を説明する。
【００２７】
まず図３ａに示すように、ます本体２の内側で開口している配管口６の差口部２２に、フィルタ４２の筒状先端部４６を対向させる。これと共に、該差口部２２に形成された装着部３０の凹溝３１の開放された一端に、該フィルタ４２の被着部５０の凸部５１を臨ませる。
【００２８】
次に図３ｂに示すように、該フィルタ４２の筒状先端部４６を差口部２２に外嵌させつつ押し込みながら、さらに該フィルタ４２の凸部５１を該装着部３０の凹溝３１内に挿入していく。具体的には、該凸部５１を、第一溝部３１Ａ内の奥へ向かって移動させる。
【００２９】
そして、該凸部５１が該凹溝３１の第一溝部３１Ａの最も奥に到達したところで、今度は該フィルタ４２を周方向（図３において右方向）に回転させて、図３ｃに示すように、該凸部５１を第二溝部３１Ｂ内の奥側へ移動開始させる。そして、該凸部５１が該凹溝３１の最も奥へ到達したところで、該差口部２２の装着部３０と該フィルタ４２の被着部５０とが係止して接続され、該配管口６に該フィルタ４２が取り付けられる。なお、該フィルタ４２は、図３に示す取付手順と逆の手順により、配管口６から容易に離脱させることができる。
【００３０】
次に、排水ます１Ａの使用状態を図４に従って説明する。
【００３１】
排水ます１Ａにおいて、前記ます本体２の上端には、蓋１２が取り付けられている。
【００３２】
さらに、前記ます本体２における前記基準流出配管口５の受口部２０には、最優先で雨水を排水する側溝Ａに繋がる流出主配管６１が接続されている。一方、差口部２２には、オリフィス４１が取り付けられている。かかるオリフィス４１は、側溝Ａヘ流出する雨水の排水量を調整する機能を有している。
【００３３】
また、第一流出入兼用配管口６の受口部２０には、浸透施設Ｂに繋がる流出副配管６２が接続されている。一方、差口部２２には、フィルタ４２が取り付けられている。かかるフィルタ４２は、浸透施設Ｂへゴミ等が流れ出ることを防止する機能を有している。なお、前記オリフィス４１及びフィルタ４２は、図３に示したものと同構成の機構によって該ます本体２の差口部２２に接続されている。
【００３４】
また、第二流出入兼用配管口７の受口部２０には流入配管６３が接続されている。一方、差口部２２には、補助器具が装着されていない。
【００３５】
また、第三流出入兼用配管口８の受口部２０には、配管は接続されず、キャップ２４が取り付けられている。また、第二流出入兼用配管口７と同様に、差口部２２には補助器具が装着されていない。
【００３６】
上記構成において、前記ます本体２の各配管口６〜８に接続された位置での流出副配管６２、及び流入配管６３の各管底は、互いに同じ高さに配置され、かつ、前記流出主配管６１の管底より高い位置にそれぞれ配置されている。
【００３７】
そして、上記排水ます１Ａにおいて、流入配管６３を介してます本体２内に雨水が流入すると、まず基準流出配管口５を介して順次側溝Ａへ排水される。該基準流出配管口５には、オリフィス４１が取り付けられているので、側溝Ａへ排水される雨水量が適宜調整される。
【００３８】
また、ゲリラ豪雨などで水量が増大し、排水ます１Ａにおいて基準流出配管口５から側溝Ａへ流出する雨水の量よりも、流入配管６３から該ます本体２内に流入する雨水の量が多くなった際には、排出しきれない過剰な雨水がます本体２に蓄積し、ます本体２内での雨水の水位が上昇するため、順次、基準流出配管口５よりも高い位置にある第二流出入兼用配管口６を介して浸透施設Ｂへ排水される。
【００３９】
これまでに述べた排水ます１Ａは、その施工にあたり、排水先の各配置とます本体２に取り付けられた各補助器具との関係を考慮しつつ配管設計段階で排水ますを選定する、という作業が不要である。すなわち、上記した排水ます１Ａのます本体２と、これに取り付けられる補助器具（本実施例においてはオリフィス４１とフィルタ４２を一つずつ）とを施工現場に持ち込めば、その施工現場の状況に応じてその場で配管６１〜６３を接続すると共に、これに合わせて補助器具（オリフィス４１とフィルタ４２）をます本体２の配管口５，６に取り付けて施工を完了させることができる。このように、各配管口５，６の装着部３０と、補助器具（オリフィス４１，フィルタ４２）の被着部５０との接続構造が各配管口５，６において互いに共通の構造となっているため、互いに取付位置や補助器具を容易に変更することができる。したがって、様々な組み合わせを想定した上で補助器具をあらかじめ取り付けた排水ますを多数在庫として取り置く必要がない。このため、在庫管理が極めて簡便となり、全体として手間やコストを抑えることができる。また、施工完了後であっても、補助器具は取り外し可能であるから、排水ます１Ａ内の清掃や点検、あるいは補助器具の交換等のメンテナンスが極めて行いやすい。なお、必ずしも現場で補助器具を取り付ける必要はなく、適宜、事前に補助器具が適正位置に取り付けられた排水ますを準備しておくことも勿論できる。
【００４０】
また、施工現場において、該排水ます１Ａに接続される流入配管６３は、配管作業に際して最も都合の良い位置の流出入兼用配管口６〜８のひとつが選択され、その流出入兼用配管口７に接続できる。さらに、前記流出副配管６２は、適宜、好適な位置の流出入兼用配管口６〜８のひとつが選択され、その流出入兼用配管口６に接続できる。このように、該排水ます１Ａは、流出入兼用配管口６〜８同士は互いに同じ高さに揃えられており、それぞれが流入用であるか流出用であるかを施工現場の状況に応じてその場で決定することができる。このため施工現場の配管パターンに柔軟に対応できる。したがって、上記構成により、最優先されるべき流出主配管６１への排水経路を確保しつつ、流出副配管６２や流入配管６３の配管の自由度を高めることができる。さらに、流出入兼用配管口６〜８において補助器具の取付構造が共通であるという構成は、流入用であるか流出用であるかが規定されていない流出入兼用配管口６〜８の特性上、様々な配管設計に柔軟に対応できる点で特に有用である。
【００４１】
これまでに述べた排水ます１Ａは、雨水が側溝Ａへ排水される構成であるが、該側溝Ａに代えて、雨水が雨水本管へ排水される構成であってもよい。
【００４２】
また、これまでに述べた構成に代えて、図５に示すような、流出配管６４が接続される配管口９に、補助器具としての逆流防止弁部材４３が取り付けられた排水ます１Ｂとしてもよい。
【００４３】
また、これまでに述べた構成に代えて、図６に示すような、各配管口７１〜７３が全て同じ高さ位置に配置された排水ます１Ｃとしてもよい。
【００４４】
また、装着部３０と被着部５０との脱着自在な取付構造としては、図７に示すような、補助器具（例えばフィルタ４２）をます本体２に対して上下方向にスライドさせて脱着自在とした構造としてもよい。例えば、互いに対向した左右一対のガイド壁部８１，８１で装着部３０を構成し、一方、該ガイド壁部８１，８１間に配置される幅広の被係止部８５で被着部５０を構成することができる。かかる構成は、フィルタ４２の被着部５０である被係止部８５を、装着部３０のガイド壁部８１，８１の上端開口から挿入して下降させることで、被着部５０を装着部３０に係止して接続することができる。一方、逆の操作により、該フィルタ４２を配管口６の開口部から容易に取り外すことができる。
【００４５】
さらに、装着部３０と被着部５０との脱着自在な取付構造としては、ねじ固定による構造としてもよい。例えば、継手用管材１０の差口部２２の外周面と、補助器具の筒状先端部４６の内周面とに、それぞれねじ溝を形成して互いに螺合可能とした構成が挙げられる。また、これまでに述べた取付構造に限定されず、公知の構造であればあらゆる取付構造が提案可能である。
【００４６】
また、排水ます１Ａ〜１Ｃにおいて、流出入兼用配管口６〜８の配設数は適宜変更可能である。仮に使用しない流出入兼用配管口６〜８がある場合、それにキャップ等が適宜装着される。また、排水ます１Ａ〜１Ｃに対して一つの補助器具が取り付けられてもよいし、複数取り付けられてもよい。
【００４７】
また、上記補助器具としては、上記した構成の他に、防臭エルボ、オーバーフローエルボ、又は流入方向調整部材等の、排水ます１Ａ〜１Ｃ内に設けられる公知の機能部材であっても勿論よい。
【符号の説明】
【００４８】
１Ａ〜１Ｃ      排水ます
２              ます本体
５              基準流出配管口
６，７，８      流出入兼用配管口
３０            装着部
４１            オリフィス（補助器具）
４２            フィルタ（補助器具）
４３            逆流防止弁部材（補助器具）
５０            被着部
６１            流出主配管（流出配管）
６２            流出副配管（流出配管）
６３            流入配管
【図１】
0005770603.tif 000002
【図２】
0005770603.tif 000003
【図３】
0005770603.tif 000004
【図４】
0005770603.tif 000005
【図５】
0005770603.tif 000006
【図６】
0005770603.tif 000007
【図７】
0005770603.tif 000008